(57)【特許請求の範囲】
【請求項１】
貨幣が投入される貨幣投入部と、
この貨幣投入部に投入された貨幣を識別する識別部と、
この識別部で正常と識別された貨幣を受け入れて一時保留する一時保留部と、
この一時保留部に一時保留された貨幣を収納するとともに、貨幣の回収時に抜き取られ、その後に空状態で装填される複数のカセットと、
これら各カセット内の貨幣の有無を検出する有無検出手段と、
貨幣の回収処理を指示する貨幣回収指示手段と、
この貨幣回収指示手段により貨幣の回収が指示された場合に前記有無検出手段の検出結果に基づいて貨幣が存在する回収すべきカセットのみを認識可能に表示する表示手段と
を具備していることを特徴とする貨幣処理機。
【請求項２】
貨幣が投入される貨幣投入部と、
この貨幣投入部に投入された貨幣を識別する識別部と、
この識別部で正常と識別された貨幣を受け入れて一時保留する一時保留部と、
この一時保留部に一時保留された貨幣を収納するとともに、貨幣の回収時に抜き取られ、その後に空状態で装填される複数のカセットと、
これら各カセット内の貨幣の有無を検出する有無検出手段と、
貨幣の回収処理を指示する貨幣回収指示手段と、
この貨幣回収指示手段により貨幣の回収が指示された場合に前記有無検出手段の検出結果に基づいて貨幣が存在する回収すべきカセットのみの認識が可能な印字物を印字出力する印字手段と
を具備していることを特徴とする貨幣処理機。
【請求項３】
各カセット内の貨幣の在高を記憶するカセット在高記憶部を備え、
貨幣回収指示手段により貨幣の回収が指示された場合に印字手段が貨幣の存在するカセットの在高を印字物に印字する
ことを特徴とする請求項２記載の貨幣処理機。
【請求項４】
各カセットの装填の有無を検出するカセット検出手段と、
このカセット検出手段が全てのカセットについて装填状態を検出し、かつ有無検出手段が全てのカセットについて貨幣無しを検出したことに基づいて貨幣の回収処理を終了させる制御部とを備える
ことを特徴とする請求項１ないし３いずれか記載の貨幣処理機。
【請求項５】
貨幣回収処理が行なわれたことを印字記録するジャーナル印字部を有し、
制御部が貨幣の回収処理の終了に伴ってジャーナル印字部に貨幣回収処理が行なわれたことを印字記録させる
ことを特徴とする請求項４記載の貨幣処理機。
【発明の詳細な説明】
【０００１】
【発明の属する技術分野】
本発明は、貨幣を処理する貨幣処理機に関する。
【０００２】
【従来の技術】
従来、貨幣の入金処理や入出金処理などを行なう貨幣処理機においては、貨幣を収納する複数個のカセットを有し、入金された貨幣を金種別に複数個のカセットに収納したり、金種混合状態でカセットに収納している。
【０００３】
そして、一日の業務が終了したときには、機体内に存在する貨幣を全て回収する回収処理が行なわれており、その回収処理としては、各カセットからの出金処理機能を有する貨幣処理機では特定のカセットに貨幣を集めてそのカセットだけをカセットごと抜き取る方法が採られ、また、各カセットからの出金処理機能を有さない貨幣処理機では、全てのカセットを抜き取って回収するか、あるいは各カセットの在高を確認した上で、貨幣の入っているカセットのみを指定してそのカセットを抜き取って回収している。
【０００４】
各カセットの在高を確認した上で、貨幣の入っているカセットのみを指定してそのカセットを抜き取って回収する場合、図８に示すように、カセット内の収納枚数を確認して（ステップ１）、回収処理を選択することにより（ステップ２）、回収すべきカセットを表示し（ステップ３）、さらに、回収すべきカセットを選択することにより（ステップ４）、選択されたカセットの回収内容を表示し（ステップ５）、さらに、回収内容を確認することにより（ステップ６）、回収内容を印字し（ステップ７）、そして、回収すべきカセット抜き取とっている（ステップ８）。
【０００５】
また、抜き取ったカセットについては、出納室や現金処理センタなどへ持ち帰り、内部の貨幣を抜き取った後に、空になったカセットを貨幣処理機の元の場所に装填するか、あるいは抜き取ったカセットの代わりに空のカセットを貨幣処理機に装填している。
【０００６】
【発明が解決しようとする課題】
しかしながら、全てのカセットを抜き取って回収する場合、回収したカセットを出納室や現金処理センタなどの次工程の場所へ運搬し、その工程での担当者がカセットを開けてみて初めて空カセットであることが判明することになり、無駄な運搬作業が行なわれる問題がある。
【０００７】
また、各カセットの在高を確認した上で、貨幣の入っているカセットのみを指定してそのカセットを抜き取って回収する場合、在高の確認作業（ステップ１）や回収すべきカセットの指定操作（ステップ３，４）を行なわなければならず、回収すべきカセットを抜き取るまでの作業が煩わしい問題がある。
【０００８】
特に、近年では貨幣処理機への貨幣の補充・回収などの業務を警備会社などへ委託する傾向があり、貨幣処理機の管理人以外の人が貨幣の回収作業を行なう場合が多くなっており、貨幣処理機の管理者以外の人でも容易に回収すべきカセットを特定して抜き取ることができることが要望されている。
【０００９】
本発明は、このような点に鑑みなされたもので、例えば貨幣処理機の管理者以外の不慣れな人でも回収すべきカセットを容易に特定でき、回収すべきカセットのみを回収できて、空のカセットを回収して運搬するといった無駄な作業が行なわれるのが防止できる貨幣処理機を提供することを目的とする。
【００１０】
【課題を解決するための手段】
請求項１記載の貨幣処理機は、貨幣が投入される貨幣投入部と、この貨幣投入部に投入された貨幣を識別する識別部と、この識別部で正常と識別された貨幣を受け入れて一時保留する一時保留部と、この一時保留部に一時保留された貨幣を収納するとともに、貨幣の回収時に抜き取られ、その後に空状態で装填される複数のカセットと、これら各カセット内の貨幣の有無を検出する有無検出手段と、貨幣の回収処理を指示する貨幣回収指示手段と、この貨幣回収指示手段により貨幣の回収が指示された場合に前記有無検出手段の検出結果に基づいて貨幣が存在する回収すべきカセットのみを認識可能に表示する表示手段とを具備しているものである。
【００１１】
そして、貨幣回収指示手段で貨幣の回収を指示することにより、各カセット内の貨幣の有無を検出する有無検出手段の検出結果に基づいて、表示手段で貨幣が存在する回収すべきカセットのみを認識可能に表示する。これにより、例えば貨幣処理機の管理者以外の不慣れな人でも回収すべきカセットを容易に特定でき、回収すべきカセットのみを回収できて、空のカセットを回収して運搬するといった無駄な作業が行なわれるのが防止される。
【００１２】
請求項２記載の貨幣処理機は、貨幣が投入される貨幣投入部と、この貨幣投入部に投入された貨幣を識別する識別部と、この識別部で正常と識別された貨幣を受け入れて一時保留する一時保留部と、この一時保留部に一時保留された貨幣を収納するとともに、貨幣の回収時に抜き取られ、その後に空状態で装填される着脱可能な複数のカセットと、これら各カセット内の貨幣の有無を検出する有無検出手段と、貨幣の回収処理を指示する貨幣回収指示手段と、この貨幣回収指示手段により貨幣の回収が指示された場合に前記有無検出手段の検出結果に基づいて貨幣が存在する回収すべきカセットのみの認識が可能な印字物を印字出力する印字手段とを具備しているものである。
【００１３】
そして、貨幣回収指示手段で貨幣の回収を指示することにより、各カセット内の貨幣の有無を検出する有無検出手段の検出結果に基づいて、印字手段で貨幣が存在する回収すべきカセットのみの認識が可能な印字物を印字出力する。これにより、例えば貨幣処理機の管理者以外の不慣れな人でも回収すべきカセットを容易に特定でき、回収すべきカセットのみを回収できて、空のカセットを回収して運搬するといった無駄な作業が行なわれるのが防止される。
【００１４】
請求項３記載の貨幣処理機は、請求項２記載の貨幣処理機において、各カセット内の貨幣の在高を記憶するカセット在高記憶部を備え、貨幣回収指示手段により貨幣の回収が指示された場合に印字手段が貨幣の存在するカセットの在高を印字物に印字するものである。
【００１５】
そして、回収したカセットの在高を印字した印字物が得られるので、回収内容の把握が可能となるとともに、例えば貨幣処理機の管理者以外の人が回収する場合には回収の証拠資料として使用可能となる。
【００１６】
請求項４記載の貨幣処理機は、請求項１ないし３いずれか記載の貨幣処理機において、各カセットの装填の有無を検出するカセット検出手段と、このカセット検出手段が全てのカセットについて装填状態を検出し、かつ有無検出手段が全てのカセットについて貨幣無しを検出したことに基づいて貨幣の回収処理を終了させる制御部とを備えるものである。
【００１７】
そして、全てのカセットについて装填状態を検出し、かつ全てのカセットについて貨幣無しを検出したことに基づいて貨幣の回収処理を終了させることにより、貨幣が存在するカセットを回収し忘れるのが防止される。
【００１８】
請求項５記載の貨幣処理機は、請求項４記載の貨幣処理機において、貨幣回収処理が行なわれたことを印字記録するジャーナル印字部を有し、制御部が貨幣の回収処理の終了に伴ってジャーナル印字部に貨幣回収処理が行なわれたことを印字記録させるものである。
【００１９】
そして、貨幣が存在するカセットを確実に回収したことに基づいてジャーナル印字部で回収記録をとるので、実際に回収されたものと回収記録との一致が確実にとれる。
【００２０】
【発明の実施の形態】
以下、本発明の一実施の形態を図１ないし図７を参照して説明する。
【００２１】
図２に、貨幣処理機として貨幣入金機の斜視図を示し、貨幣入金機11は、銀行等のロビーに設置され、顧客自らの操作によって現金の入金処理を可能としたものである。
【００２２】
12は機体で、この機体12の前面側上部に、略水平状の手前側の接客面13、この接客面13の奥側から斜め後方へ立ち上がる奥側の接客面14が形成されている。
【００２３】
手前側の接客面13には、一側にシャッタ15によって開閉される紙幣投入口16が形成され、他側にシャッタ17によって開閉される硬貨投入口18が形成され、これら紙幣投入口16および硬貨投入口18に隣接して貨幣としての紙幣や硬貨の入金時に点灯または点滅する表示ランプ19，20が配設されている。
【００２４】
奥側の接客面14には、中央に顧客操作部21が配置されており、この顧客操作部21は、ブラウン管や液晶表示器などの表示装置22を有し、この表示装置22の画面23の表面がタッチパネル式の操作部24として兼用されている。画面23の一側には、取扱中または中止を表示する取扱表示部25、顧客情報や入金結果等を印字したレシートが発行されるレシート出口26、通帳が挿入される通帳挿入口27およびこの通帳挿入口27に隣接して通帳の挿入時や返却時に点灯または点滅する表示ランプ28が配設され、また、画面23の他側には、磁気カードやＩＣカードなどが挿入されるカード挿入口29が配設されている。
【００２５】
機体12の内部一側には、紙幣投入口16を通じて投入された紙幣の入金処理をする紙幣入金機30が配設されている。機体12の前面一側、すなわち紙幣入金機30の前方には、紙幣返却口31が形成され、この紙幣返却口31を閉塞する紙幣返却扉32が左側の一側を支点として手前側に開放可能に配設され、紙幣返却口31に隣接して紙幣返却時に点灯または点滅する表示ランプ33が配設されている。紙幣返却扉32には、指を引っ掛けて紙幣返却扉32を手前側に開くための取手部34が設けられている。紙幣返却扉32は、図示しないロック機構によって施錠、解錠される。なお、機体12は、紙幣入金機30の機体として兼用される。
【００２６】
機体12の内部他側には、硬貨投入口18を通じて投入された硬貨の入金処理をする硬貨入金機35が配設されている。機体12の前面他側には、すなわち硬貨入金機35の前方には、硬貨入金機35の硬貨返却箱36および硬貨リジェクト箱37が引き抜き可能に配設され、これら硬貨返却箱36および硬貨リジェクト箱37に隣接して硬貨返却時およびリジェクト硬貨返却時に点灯または点滅される表示ランプ38，39が配設されている。
【００２７】
機体12の内部で、レシート出口26の内方にはレシートを発行するレシート処理部40が配設され、通帳挿入口27の内方には挿入された通帳を処理する通帳処理部41が配設され、カード挿入口29の内方には挿入されたカードを処理するカードリーダとしてのカード処理部42が配設されている。
【００２８】
機体12の前面には、機体12の前方域内に顧客が進入したことを検知して、例えば消灯して一時停止状態にあった画面23で受付状態を表示させるための人体検知センサ43が配設されている。
【００２９】
また、機体12の前面上部には、接客面13および接客面14を構成する前面扉44が上端側を支点として上下方向に開閉可能に設けられ、機体12の前面下部には、紙幣入金機30および硬貨入金機35の前面を覆う前面扉45が一側を支点として開閉可能に設けられている。そして、機体12の前面から紙幣入金機30および硬貨入金機35からの貨幣回収などを含めて運用する前面運用の場合、前面扉44，45側が貨幣の回収作業を行なう操作面46として構成されている。前面扉44，45は、図示しない錠機構によって機体12に対して施錠、解錠される。
【００３０】
機体12の内部で、前面扉44を開放した前面開口に臨んで、表示手段としての係員用表示部47が配設されているとともに、印字手段としてのレシート印字部48およびジャーナル印字部49を内蔵した係員用ユニット50が配設されている。
【００３１】
次に、図１に、紙幣入金機30の構成図を示し、紙幣入金機30は、紙幣入金機本体61を有し、この紙幣入金機本体61の前側上方にシャッタ15で開閉される紙幣投入口16が配設され、この紙幣投入口16の下方に紙幣受入空間62が上方に向けて開口形成されている。
【００３２】
紙幣受入空間62の前寄り位置には、紙面を前後方向に向けた複数枚の紙幣（図中に符号Ｐで示し、以下省略する）が前後方向に集積した状態で一括して投入される貨幣投入部としての紙幣投入部63が形成され、また、紙幣受入空間62の後寄り位置には、紙面を前後方向に向けた状態でリジェクト紙幣が返却されるリジェクト紙幣返却部64が形成され、これら紙幣投入部63とリジェクト紙幣返却部64とが仕切部材65によって区画形成されている。
【００３３】
紙幣投入部63には、前端下部に紙幣を１枚ずつ繰り出す紙幣繰出口66が形成され、この紙幣繰出口66から紙幣を１枚ずつ繰り出す紙幣繰出手段67が配設されている。紙幣繰出手段67は、紙幣投入部63内の最前部の紙幣に接触して紙幣繰出口66へ送るキックローラ68、紙幣繰出口66に送られる１枚の紙幣を紙幣投入部63内から繰り出す繰出ローラ69、繰出ローラ69によって繰り出される紙幣を１枚に規制する逆転ローラ70、および紙幣投入部63内の紙幣を前方へ押圧してキックローラ68に押し付ける押圧部材71を有している。
【００３４】
リジェクト紙幣返却部64には、後端下部にリジェクト紙幣が送り込まれてくるリジェクト紙幣受入口72が形成され、このリジェクト紙幣受入口72から受け入れたリジェクト紙幣をリジェクト紙幣返却部64の後面との間で保持する保持片73が前後に揺動可能に配設されている。リジェクト紙幣受入口72には、リジェクト紙幣を挟持してリジェクト紙幣返却部57内に送り込む受入ローラ74が配設されている。
【００３５】
紙幣受入空間62には紙幣の有無を検知する図示しない有無検知センサが配設されている。
【００３６】
また、紙幣入金機本体61の上部には、紙幣投入部63から紙幣繰出手段67によって１枚ずつ繰り出される紙幣を受け入れて搬送する搬送経路75が接続されている。この搬送経路75は、紙幣繰出口66から後方へ向けて形成される識別通路76、およびこの識別通路76の後端から識別通路76の上側に折り返して前方へ向かいリジェクト紙幣受入口72に接続される返却通路77を有している。識別通路76および返却通路77は、複数組の対をなすベルトを用い、これらベルト間に紙幣を挟み込んだ状態で下流側に搬送する。識別通路76には、搬送される紙幣を識別計数する識別部78が配設されている。
【００３７】
識別通路76の後端には、識別部78で正常と識別された紙幣を下方の紙幣送出部79に分岐させるとともに、識別不能と識別されたリジェクト紙幣を上方の返却通路77に分岐させる分岐部材80が配設されている。紙幣送出部79には、分岐部材80で分岐されてくる正常な紙幣を挟持して下方へ送り出す送出ローラ81が配設されている。
【００３８】
紙幣送出部79の後方位置には駆動ギヤ82が回転自在に配設され、この駆動ギヤ82に搬送経路75の回転駆動力がベルト83を介して伝達され、駆動ギヤ82が回転駆動される。
【００３９】
紙幣入金機本体61は、搬送経路75などが配設される上部空間84と下部空間85とが仕切板86によって仕切られている。仕切板86には紙幣送出部79および駆動ギヤ82に臨んで開口が形成されている。
【００４０】
また、紙幣入金機本体61の底部には、機体12の前面の操作面46側から引出可能とするカセット支持ユニット91が配設され、このカセット支持ユニット91の上側に、紙幣送出部79から送り出される紙幣を受け入れて一時保留する一時保留部92を有する一時保留部ユニット93が前後方向に沿って移動可能に配設され、さらに、カセット支持ユニット91内に、一時保留部92に一時保留された紙幣を収納する複数のカセット94が前後方向に整列されて配設されている。
【００４１】
図１および図３に示すように、カセット支持ユニット91は、上面を開口した箱状に形成され、その上面開口を通じて各カセット94を着脱可能とし、内部には前後方向に整列される各カセット94が装填されるカセット装填部91aおよびこれらカセット装填部91aを仕切る複数の仕切部96が配設されている。カセット支持ユニット91の上面両側縁部には一時保留部ユニット93を前後方向に移動可能に支持するガイドレール97が配設され、一側および後部に一時保留部ユニット93を前後方向に沿って、つまり複数のカセット94の並設方向に沿って移動させる一時保留部移動機構98が配設されている。
【００４２】
一時保留部移動機構98は、カセット支持ユニット91の一側の前後部に回転自在に軸支されたプーリ99、およびこれらプーリ99間に張設されたベルト100を有し、このベルト100に連結部材101を介して一時保留部ユニット93が連結されている。カセット支持ユニット91の後部内側において、後部側のプーリ99と同軸に連結された図示しないプーリ、このプーリとの間にベルト102が張設されるプーリ103、およびこのプーリ103を回動させるモータ104が配設され、モータ104の駆動で一時保留部ユニット93が前後方向に移動される。そして、一時保留部移動機構98により、一時保留部ユニット93は、紙幣送出部79から紙幣を受け入れて一時保留する一時保留位置、各カセット94の上方で一時保留した紙幣をカセット94に収納させる各収納位置、最前部であって紙幣返却口31の内側に臨む返却位置、および操作面46と反対の最後部の待機位置に移動される。
【００４３】
カセット支持ユニット91の両側は機体12に対して両側のガイドレール105で支持され、この両側のガイドレール105によって機体12の前方へ引出可能に構成されている。
【００４４】
また、一時保留部ユニット93は、下面を開口した箱状の枠体106を有し、この枠体106の上面に紙幣送出部79から送り出される紙幣を受け入れる紙幣受入口107が形成され、枠体106の前面に開口部108が形成され、この開口部108に左側の一側のヒンジ109を支点として開閉可能に扉体110が配設されている。扉体110の前面には取手状の係合部111が取り付けられ、一時保留部ユニット93が最前部の返却位置に移動した際に紙幣返却扉32側の図示しない係合機構のピンが係合して、紙幣返却扉32が開かれたときに扉体110も一体的に開かれるように構成されている。
【００４５】
枠体106の内部には、開口部108の後側に、紙面を上下方向に向けた紙幣を上下方向に重ねて集積収納する一時保留部92が形成されている。紙幣受入口107の下側には、受け入れた紙幣を挟持して一時保留部92に送り込む搬送部112が配設されている。搬送部112は、紙幣を挟持して搬送する対をなすベルト113およびこれらベルト113を掛け回したプーリ114を有し、これらベルト113には、一時保留部ユニット93が一時保留位置に移動した際に駆動ギヤ82に噛合する駆動伝達ギヤ115から駆動伝達ベルト116を介して回転駆動力が伝達され、ベルト113が回転駆動される。
【００４６】
駆動伝達ギヤ115には駆動伝達ギヤ115より大径のガイドローラ117が同軸に取り付けられ、これら駆動伝達ギヤ115およびガイドローラ117が枠体106の上面の開口118から上方に突出する方向に揺動付勢されている。そして、一時保留部ユニット93が移動する場合にガイドローラ117が仕切板86の下面を転動し、一時保留部ユニット93が一時保留位置に移動した際にガイドローラ117が仕切板86の駆動ギヤ82の位置に対応して設けられた開口に入り込んで、駆動伝達ギヤ115が駆動ギヤ82に噛合される。
【００４７】
一時保留部92は、前面側のガイド板としての扉体110、後面側のガイド板120、図示しない両側のガイド板、底面のステージ121、および上面の押圧板122によって囲まれた空間で形成されている。ステージ121は、図示しないステージ駆動手段により、一時保留部92内を上下方向に移動されるとともに最下降位置で後面側のガイド板120の後方に対して水平方向に移動されて一時保留部92内に進退される。押圧板122は、一時保留部92内を上下方向に移動され、一時保留紙幣の収納時に一時保留紙幣を上方から押圧する。
【００４８】
次に、カセット94は、縦長の箱状に形成されたカセット本体131を有し、このカセット本体131の上面に一時保留部92から紙幣を受け入れる長方形状の開口部132が形成され、この開口部132が開口部132の短手方向に移動するシャッタ133で開閉される。
【００４９】
カセット本体131の内部には、開口部132の下方に、紙面を上下方向に向けた紙幣を上下方向に重ねて集積収納する紙幣収納部134が形成されている。この紙幣収納部134は、底面がステージ135によって構成されている。ステージ135は、図示しないステージ駆動手段により、紙幣収納部134内を上下方向に移動される。
【００５０】
また、カセット支持ユニット91の各カセット装填部91aには、各カセット94の装填の有無を検出するカセット検出手段としてのカセット検出スイッチ137が配設され、さらに、各カセット94の上端近傍に検知ラインを有して各カセット94内に収納される紙幣の有無を検出する有無検出手段としての有無検出センサ138が配設されている。カセット94のステージ135は、紙幣が収納されていない場合のステージ135の上面、紙幣が収納されている場合の収納済紙幣の上面の高さが開口部132の近傍の所定の高さとなる位置で待機されるので、紙幣が収納されている場合には有無検出センサ138によって紙幣有りが検出される。
【００５１】
なお、硬貨入金機35については、図示しないが、紙幣入金機30と略同様の構成を有し、入金硬貨を識別する識別部、正常な入金硬貨を一時保留する一時保留部、一時保留硬貨を収納する複数のカセットを有しており、これらカセットを支持したカセット支持ユニットを機体12の前方へ引出可能としている。
【００５２】
次に、図４に示すように、貨幣入金機11は、制御部151を有し、この制御部151によって貨幣入金機11が制御される。
【００５３】
制御部151には、識別部78、カセット検出スイッチ137、有無検出センサ138、貨幣回収処理指示手段152、カセット在高記憶部153、係員用表示部47、レシート印字部48、ジャーナル印字部49が接続されている。
【００５４】
貨幣回収処理指示手段152は、例えば、係員用ユニット50の近傍など機体12内に設置される係員用操作部のスイッチなどで構成され、貨幣の回収処理を指示する機能を有している。
【００５５】
カセット在高記憶部153は、各カセット内94の貨幣の在高を記憶する機能を有している。
【００５６】
係員用表示部47では、図５に示す表示例のように、貨幣回収指示手段152により貨幣の回収が指示された場合に有無検出センサ138の検出結果に基づいて貨幣が存在するカセット94を認識可能に表示する機能を有している。
【００５７】
レシート印字部48では、図６に示す印字例のように、貨幣回収指示手段152により貨幣の回収が指示された場合に有無検出センサ138の検出結果に基づいて貨幣が存在するカセット94の認識が可能な印字物としてレシートを印字出力する機能を有している。さらに、貨幣の存在するカセットの在高をレシートに印字する機能を有している。
【００５８】
ジャーナル印字部49では、貨幣の回収処理の終了に伴って貨幣回収処理が行なわれたことをジャーナルに印字記録する機能を有している。
【００５９】
そして、制御部151は、上述した各機能を制御する機能を有し、さらに、カセット検出スイッチ137が全てのカセット94について装填状態を検出し、かつ有無検出センサ138が全てのカセット94について貨幣無しを検出したことに基づいて貨幣の回収処理を終了させる機能を有している。
【００６０】
なお、貨幣入金機11は、例えば銀行等のロビーに顧客自身によって操作可能に設置され、窓口のカウンタ内に設置されて係員によって操作される機器に対して通信可能に接続されている。機器には、顧客情報および入金結果等を印刷するプリンタや表示するモニタが含まれている。
【００６１】
次に、貨幣入金機11の作用を説明する。
【００６２】
まず、貨幣入金機11の入金処理について説明する。
【００６３】
待機状態で、顧客によりカード挿入口29に挿入されたカードをカード処理部42で読み取り、顧客のカードであることを判別すれば、各投入口16，18のシャッタ15，17を開放する。
【００６４】
顧客により、少なくとも一方の投入口16，18から対応する現金が投入された後、各投入口16，18のシャッタ15，17を閉鎖し、識別計数処理を開始する。
【００６５】
そして、紙幣の投入があった場合、紙幣入金機30では、紙幣投入部63に投入された紙幣を図示しない有無検知センサで検知し、紙幣の識別計数処理を実行する。シャッタ15を閉じた後、押圧部材71を前方へ移動させて紙幣投入部63内の紙幣をキックローラ68に押し付け、キックローラ68で紙幣を紙幣繰出口66に送るとともに、繰出ローラ69と逆転ローラ70との作用で紙幣を１枚ずつ分離して識別通路76に順次繰り出す。識別通路76に繰り出された紙幣を搬送し、識別部78で識別し、正常な紙幣を分岐部材80で紙幣送出部79に導いて送り出し、リジェクト紙幣を返却通路77に導いてリジェクト紙幣返却部57に送り込む。
【００６６】
一時保留部ユニット93は、紙幣の識別計数処理の開始時に、最後部の待機位置から前方の一時保留位置に移動しており、搬送部112の駆動伝達ギヤ115が駆動ギヤ82に噛合して回転駆動力が伝達される。そのため、紙幣送出部79から順次送り出される紙幣を紙幣受入口107を通じて一時保留部ユニット93内に受け入れるとともに搬送部112により一時保留部92内に導き、ステージ121上に集積して一時保留する。
【００６７】
紙幣投入部63に投入された紙幣の繰り出しが完了した時点で、リジェクト紙幣がリジェクト紙幣返却部64に返却されていて、紙幣受入空間62の有無検知センサが遮光状態にあれば、シャッタ15を開いて操作者に返却する。操作者によりリジェクト紙幣が取り出されれば、紙幣受入空間62の有無検知センサが透光状態となって取り出しを確認し、シャッタ15を閉じる。
【００６８】
また、硬貨入金機35では、硬貨投入口18に投入された硬貨を１枚ずつ分離して識別計数し、正常な硬貨を一時保留し、リジェクト硬貨を硬貨リジェクト箱37に導いて返却する。
【００６９】
そして、投入された現金の計数が完了し、顧客により計数結果の承認指示がなされれば、レシート処理部40で受付番号、顧客情報および計数金額を印刷したレシート（受付票）をレシート出口26から送り出し、カード処理部42でカードをカード挿入口29から送り出す。
【００７０】
顧客により、レシートが切り取られ、カードを引き抜く。そして、窓口から受付番号が呼ばれた顧客がレシートおよび預金通帳を窓口の係員に渡し、顧客によって計数された現金の金額の預入がなされる。
【００７１】
そして、顧客による承認指示により、紙幣入金機30では、一時保留部ユニット93が一時保留部92に一時保留した紙幣を収納するカセット94への収納位置に移動し、一時保留部92に一時保留した紙幣をカセット94に収納する。このとき、操作面46側の前側のカセット94から順に満杯にしていくように収納動作が制御される。紙幣の収納を完了したら、一時保留部ユニット93が最後部の待機位置に移動して待機する。
【００７２】
一時保留紙幣の収納は、収納するカセット94のシャッタ133を開放し、カセット94のステージ135またはステージ135上の収納済紙幣の上面を所定の受け取り高さに上昇するまでステージ135を上昇させ、一方、一時保留部92のステージ121を下降させるとともに後方へ高速で退避させることにより、ステージ121上の一時保留紙幣がそのまま落下し、カセット94のステージ135上または収納済紙幣上に集積される。このとき、一時保留紙幣が押圧板122で下方に押圧されて確実に集積される。そして、カセット94のステージ135を下降させ、シャッタ133を閉じ、一方、一時保留部92のステージ121を戻して次の入金処理に待機する。
【００７３】
また、硬貨入金機35では、一時保留した硬貨を操作面46側の前側のカセットから順に満杯にしていくように収納する。
【００７４】
また、顧客により、返却指示がなされた場合、紙幣入金機30では、一時保留部ユニット93が最前部の返却位置に移動し、紙幣返却扉32側の図示しない係合機構のピンが扉体110に係合するとともに、ロック機構による紙幣返却扉32のロックを解除する。顧客により、紙幣返却扉32が開放されることで、一時保留部ユニット93の扉体110が一体的に開放され、一時保留部92内の紙幣が取り出される。開放された紙幣返却扉32および扉体110が閉鎖されることにより、次の処理が可能となる。また、硬貨入金機35では、一時保留硬貨を硬貨返却箱36に放出する。顧客により、硬貨返却箱36が機体12から前方へ引き出されることにより、硬貨返却箱36内の硬貨が取り出される。引き出された硬貨返却箱36が元に戻されることにより、次の処理が可能となる。
【００７５】
次に、貨幣の回収処理について図７のフローチャートを参照して説明する。
【００７６】
回収処理を行なう係員により、前面扉44，45を解錠して開放し、機体12内に設置されている係員用操作部の貨幣回収指示手段152を操作して貨幣回収を指示する（ステップ11）。
【００７７】
貨幣回収指示手段152の指示により、係員用表示部47では、図５に示す表示例のように、各カセット94の有無検出センサ138の検出結果に基づいて貨幣が存在するカセット94を認識可能に表示する（ステップ12）。
【００７８】
係員用表示部47には、回収カセット表示エリアA1と、回収内容表示エリアA2とがあり、回収カセット表示エリアA1には、カセット支持ユニット91の各カセット94（硬貨入金機35のカセットも同様である）の各装填場所に対応して、例えば引出方向の手前側から１，２，３，４，５の順に付されたカセット94の番号、およびこのカセット94の番号の横に貨幣が存在することを表示する「◆」のマークが表示される。この場合、紙幣入金機30では番号２，３のカセット94、硬貨入金機35では番号１〜３のカセットに、「◆」のマークが表示されている。回収内容表示エリアA2には、係員用表示部47には、紙幣入金機30内に収納されている紙幣の金種別の枚数および金額、紙幣合計と、硬貨の金種別の枚数および金額、硬貨合計とが表示されるとともに、これら紙幣および硬貨の総合計が表示される。
【００７９】
また、係員用表示部47で貨幣の収納状況を確認した係員により、例えば、係員用操作部の貨幣回収指示手段152の再操作による確認の指示により（ステップ13）、レシート印字部48では、図６示す印字例のように、有無検出センサ138の検出結果に基づいて貨幣が存在するカセット94の認識が可能でかつ貨幣の存在するカセットの在高の確認が可能なレシートを印字出力する（ステップ14）。
【００８０】
レシートには、日時、回収すべき回収カセット数、総合計、紙幣および硬貨別の回収すべきカセット番号、各カセット番号毎の金種別の枚数および金額、合計が印字される。
【００８１】
係員は、レシート印字部48から発行されたレシートを切って受け取る。
【００８２】
係員により、カセット支持ユニット91を機体12から前方へ引き出し、係員用表示部47やレシートを確認して、貨幣が存在する回収すべきカセット94のみを抜き取って回収する。
【００８３】
このように、貨幣回収指示手段152で貨幣の回収を指示することにより、各カセット94内の貨幣の有無を検出する有無検出センサ138の検出結果に基づいて、係員用表示部47で貨幣が存在するカセット94を認識可能に表示するので、およびレシート印字部48で貨幣が存在するカセット94の認識が可能なレシートを印字出力するので、例えば貨幣入金機11の管理者以外の不慣れな人でも回収すべきカセット94を容易に特定でき、回収すべきカセット94のみを回収できて、空のカセット94を回収して運搬するといった無駄な作業が行なわれるのを防止できる。
【００８４】
回収したカセット94の在高を印字したレシートが得られるので、回収内容を把握できるとともに、例えば貨幣入金機11の管理者以外の人が回収する場合には回収の証拠資料として使用できる。
【００８５】
また、抜き取ったカセット94については、出納室や現金処理センタなどへ持ち帰り、内部の貨幣を抜き取った後に、空になったカセット94を貨幣入金機11の元の場所に装填するか、あるいは抜き取ったカセット94の代わりに空のカセット94を貨幣入金機11に装填している。
【００８６】
そして、各カセット検出スイッチ137で全てのカセット94の装填状態を検出し、かつ、有無検出センサ138で全てのカセット94の貨幣無しを検出することで（ステップ15）、制御部151により、ジャーナル印字部49でジャーナルを印字し（ステップ16）、貨幣の回収処理を終了させる。
【００８７】
このように、全てのカセット94の装填状態を検出し、かつ、全てのカセット94の貨幣無しを検出することを条件に、制御部151で貨幣の回収処理を終了させることにより、貨幣が存在するカセット94を回収し忘れるのを防止できる。
【００８８】
また、貨幣が存在するカセット94を確実に回収したことに基づいてジャーナル印字部49で回収記録をとるので、実際に回収されたものと回収記録との一致を確実にとることができる。
【００８９】
【発明の効果】
請求項１記載の貨幣処理機によれば、貨幣回収指示手段で貨幣の回収を指示することにより、各カセット内の貨幣の有無を検出する有無検出手段の検出結果に基づいて、表示手段で貨幣が存在する回収すべきカセットのみを認識可能に表示するので、例えば貨幣処理機の管理者以外の不慣れな人でも回収すべきカセットを容易に特定でき、回収すべきカセットのみを回収できて、空のカセットを回収して運搬するといった無駄な作業が行なわれるのを防止できる。
【００９０】
請求項２記載の貨幣処理機によれば、貨幣回収指示手段で貨幣の回収を指示することにより、各カセット内の貨幣の有無を検出する有無検出手段の検出結果に基づいて、印字手段で貨幣が存在する回収すべきカセットのみの認識が可能な印字物を印字出力するので、例えば貨幣処理機の管理者以外の不慣れな人でも回収すべきカセットを容易に特定でき、回収すべきカセットのみを回収できて、空のカセットを回収して運搬するといった無駄な作業が行なわれるのを防止できる。
【００９１】
請求項３記載の貨幣処理機によれば、請求項２記載の貨幣処理機の効果に加えて、回収したカセットの在高を印字した印字物が得られるので、回収内容を把握できるとともに、例えば貨幣処理機の管理者以外の人が回収する場合には回収の証拠資料として使用できる。
【００９２】
請求項４記載の貨幣処理機によれば、請求項１ないし３いずれか記載の貨幣処理機の効果に加えて、全てのカセットについて装填状態を検出し、かつ全てのカセットについて貨幣無しを検出したことに基づいて貨幣の回収処理を終了させることにより、貨幣が存在するカセットを回収し忘れるのを防止できる。
【００９３】
請求項５記載の貨幣処理機によれば、請求項４記載の貨幣処理機の効果に加えて、貨幣が存在するカセットを確実に回収したことに基づいてジャーナル印字部で回収記録をとるので、実際に回収されたものと回収記録との一致を確実にとることができる。
【図面の簡単な説明】
【図１】本発明の貨幣処理機の一実施の形態を示す貨幣入金機の構成図である。
【図２】同上貨幣入金機の斜視図である。
【図３】同上貨幣入金機のカセット支持ユニットの斜視図である。
【図４】同上貨幣入金機の制御部のブロック図である。
【図５】同上貨幣入金機の表示手段によって表示される画面の説明図である。
【図６】同上貨幣入金機の印字部によって印字出力される印字物の説明図である。
【図７】同上貨幣入金機の回収動作を説明するフローチャートである。
【図８】従来の回収動作を説明するフローチャートである。
【符号の説明】
11    貨幣処理機としての貨幣入金機
47    表示手段としての係員用表示部
48    印字手段としてのレシート印字部
49    ジャーナル印字部
63    貨幣投入部としての紙幣投入部
78    識別部
92    一時保留部
94    カセット
137   カセット検出手段としてのカセット検出スイッチ
138   有無検出手段として有無検出センサ
151   制御部
152   貨幣回収指示手段
153   カセット在高記憶部
【図１】
0003971101.tif 000002
【図２】
0003971101.tif 000003
【図３】
0003971101.tif 000004
【図４】
0003971101.tif 000005
【図５】
0003971101.tif 000006
【図６】
0003971101.tif 000007
【図７】
0003971101.tif 000008
【図８】
0003971101.tif 000009